【誤訳訂正書】
【提出日】令和3年4月30日(2021.4.30)
【誤訳訂正１】
【訂正対象書類名】特許請求の範囲
【訂正対象項目名】全文
【訂正方法】変更
【訂正の内容】
【特許請求の範囲】
【請求項１】
情報伝送方法であって、
第1のデバイスにより、搬送波周波数範囲とサブキャリア間隔セットとの間の対応関係セットに基づいてサービングセルのサブキャリア間隔を決定するステップと、
前記第1のデバイスにより、前記サービングセルの前記サブキャリア間隔に基づいて前記サービングセルのリソースユニットを決定するステップであって、前記リソースユニットが、特定の期間における特定の周波数領域幅の時間周波数リソースであり、前記リソースユニットがシンボルを含む、ステップと、
前記第1のデバイスにより、前記サービングセルの前記リソースユニットに基づいて前記サービングセル内の第2のデバイスに情報を送信し、または、前記サービングセルの前記リソースユニットに基づいて前記サービングセルにおいて、前記第2のデバイスによって送信された情報を受信するステップと
を含み、
前記サービングセルの前記サブキャリア間隔が同じサブキャリア間隔セット内で異なる場合、前記サービングセルの前記リソースユニット内のチャネルが同じリソース位置を占有し、かつ／または前記サービングセルの前記リソースユニット内の信号が同じリソース位置を占有し、前記リソース位置が、シンボル番号によって特定されるシンボルの位置であり、
前記同じサブキャリア間隔セット内に含まれる前記サービングセルのすべてのサブキャリア間隔が、15KHzの倍数または17.5KHzの倍数である、方法。
【請求項２】
前記第1のデバイスにより、前記サービングセルの前記サブキャリア間隔に基づいて前記サービングセルのリソースユニットを決定する前記ステップが、
前記第1のデバイスにより、前記サービングセルの前記サブキャリア間隔に基づいて前記サービングセルの前記リソースユニットのパラメータを決定するステップであって、前記リソースユニットの前記パラメータが、前記リソースユニットの長さ、前記リソースユニットに含まれるシンボルの数、前記リソースユニットに含まれるサブキャリアの数、前記リソースユニットに含まれるシンボルの有効シンボル長、および前記リソースユニットに含まれるシンボルのサイクリックプレフィックス（CP）長のうちの少なくとも1つを含む、ステップ
を含む、請求項1に記載の方法。
【請求項３】
前記第1のデバイスにより、前記サービングセルの前記サブキャリア間隔に基づいて、前記サービングセルの前記リソースユニットの長さを決定する前記ステップが、
前記サービングセルの前記サブキャリア間隔がΔf1である場合、前記リソースユニットの前記長さが
【数１】
2019511879.tif 000001
であると決定するステップであって、式中、Δf1＝N1・15kHzであり、N1が2以上の正の整数であり、t1が1msである、ステップ
を含む、請求項2に記載の方法。
【請求項４】
前記第1のデバイスにより、前記サービングセルの前記サブキャリア間隔に基づいて、前記サービングセルの前記リソースユニットに含まれるシンボルの数を決定する前記ステップが、
前記第1のデバイスにより、前記サービングセルの前記サブキャリア間隔に基づいて、前記サービングセルの前記リソースユニットに含まれるシンボルの前記数が14であると決定するステップであって、前記サービングセルの前記サブキャリア間隔が15kHzの倍数である、ステップ
を含む、請求項2または3に記載の方法。
【請求項５】
前記第1のデバイスにより、前記サービングセルの前記サブキャリア間隔に基づいて、前記サービングセルの前記リソースユニットに含まれるサブキャリアの数を決定する前記ステップが、
前記第1のデバイスにより、前記サービングセルの前記サブキャリア間隔に基づいて、前記サービングセルの前記リソースユニットに含まれるサブキャリアの前記数が12であると決定するステップであって、前記サービングセルの前記サブキャリア間隔が15kHzの倍数である、ステップ、または
前記第1のデバイスにより、前記サービングセルの前記サブキャリア間隔に基づいて、前記サービングセルの前記リソースユニットに含まれるサブキャリアの前記数が12の倍数であると決定するステップ
を含む、請求項2から4のいずれか一項に記載の方法。
【請求項６】
前記第1のデバイスにより、前記サービングセルの前記サブキャリア間隔に基づいて、前記サービングセルの前記リソースユニットに含まれるシンボルの有効シンボル長を決定する前記ステップが、
前記サービングセルの前記サブキャリア間隔がΔf1である場合、前記リソースユニットに含まれる前記シンボルの前記有効シンボル長が
【数２】
2019511879.tif 000002
であると決定するステップであって、式中、Δf1＝N1・15kHzであり、N1が2以上の正の整数であり、Ts＝1／（15000×2048）である、ステップ
を含む、請求項2から5のいずれか一項に記載の方法。
【請求項７】
前記リソースユニットが第1のノーマルCPシンボルおよび第2のノーマルCPシンボルを含み、
前記第1のデバイスにより、前記サービングセルの前記サブキャリア間隔に基づいて、前記サービングセルの前記リソースユニットに含まれるシンボルのサイクリックプレフィックス（CP）長を決定する前記ステップが、
前記サービングセルの前記サブキャリア間隔がΔf1である場合、前記第1のノーマルCPシンボルの長さが
【数３】
2019511879.tif 000003
であり、前記第2のノーマルCPシンボルの長さが
【数４】
2019511879.tif 000004
であると決定するステップであって、式中、Δf1＝N1・15kHzであり、N1が2以上の正の整数であり、Ts＝1／（15000×2048）である、ステップ
を含む、請求項2から6のいずれか一項に記載の方法。
【請求項８】
デバイスであって、前記デバイスが第1のデバイスであり、前記デバイスが、
搬送波周波数範囲とサブキャリア間隔セットとの間の対応関係セットに基づいてサービングセルのサブキャリア間隔を決定し、前記サービングセルの前記サブキャリア間隔に基づいて前記サービングセルのリソースユニットを決定するように構成された処理部であって、前記リソースユニットが、特定の期間における特定の周波数領域幅の時間周波数リソースであり、前記リソースユニットがシンボルを含む、処理部と、
前記処理部によって決定された前記サービングセルの前記リソースユニットに基づいて前記サービングセル内の第2のデバイスに情報を送信し、または、前記処理部によって決定された前記サービングセルの前記リソースユニットに基づいて前記サービングセルにおいて、前記第2のデバイスによって送信された情報を受信するように構成された送受信部と
を含み、
前記サービングセルの前記サブキャリア間隔が同じサブキャリア間隔セット内で異なる場合、前記サービングセルの前記リソースユニット内のチャネルが同じリソース位置を占有し、かつ／または前記サービングセルの前記リソースユニット内の信号が同じリソース位置を占有し、前記リソース位置が、シンボル番号によって特定されるシンボルの位置であり、
前記同じサブキャリア間隔セット内に含まれる前記サービングセルのすべてのサブキャリア間隔が、15KHzの倍数または17.5KHzの倍数である、デバイス。
【請求項９】
前記処理部が、前記サービングセルの前記サブキャリア間隔に基づいて前記サービングセルの前記リソースユニットのパラメータを決定し、前記リソースユニットの前記パラメータが、前記リソースユニットの長さ、前記リソースユニットに含まれるシンボルの数、前記リソースユニットに含まれるサブキャリアの数、前記リソースユニットに含まれるシンボルの有効シンボル長、および前記リソースユニットに含まれるシンボルのサイクリックプレフィックス（CP）長のうちの少なくとも1つを含む、ように特に構成される、請求項8に記載のデバイス。
【請求項１０】
前記処理部が、前記サービングセルの前記サブキャリア間隔がΔf1である場合、前記リソースユニットの前記長さが
【数５】
2019511879.tif 000005
であると決定し、式中、Δf1＝N1・15kHzであり、N1が2以上の正の整数であり、t1が1msである、ように特に構成される、請求項9に記載のデバイス。
【請求項１１】
前記処理部が、前記サービングセルの前記サブキャリア間隔に基づいて、前記サービングセルの前記リソースユニットに含まれるシンボルの前記数が14であると決定し、前記サービングセルの前記サブキャリア間隔が15kHzの倍数である、ように特に構成される、請求項9または10に記載のデバイス。
【請求項１２】
前記処理部が、
前記サービングセルの前記サブキャリア間隔に基づいて、前記サービングセルの前記リソースユニットに含まれるサブキャリアの前記数が12であると決定し、前記サービングセルの前記サブキャリア間隔が15kHzの倍数であり、または
前記サービングセルの前記サブキャリア間隔に基づいて、前記サービングセルの前記リソースユニットに含まれるサブキャリアの前記数が12の倍数であると決定する
ように特に構成される、請求項9から11のいずれか一項に記載のデバイス。
【請求項１３】
前記処理部が、前記サービングセルの前記サブキャリア間隔がΔf1である場合、前記リソースユニットに含まれる前記シンボルの前記有効シンボル長が
【数６】
2019511879.tif 000006
であると決定し、式中、Δf1＝N1・15kHzであり、N1が2以上の正の整数であり、Ts＝1／（15000×2048）である、ように特に構成される、請求項9から12のいずれか一項に記載のデバイス。
【請求項１４】
前記リソースユニットが第1のノーマルCPシンボルおよび第2のノーマルCPシンボルを含み、
前記処理部が、
前記サービングセルの前記サブキャリア間隔がΔf1である場合、前記第1のノーマルCPシンボルの長さが
【数７】
2019511879.tif 000007
であり、前記第2のノーマルCPシンボルの長さが
【数８】
2019511879.tif 000008
であると決定し、式中、Δf1＝N1・15kHzであり、N1が2以上の正の整数であり、Ts＝1／（15000×2048）である、
ように特に構成される、請求項9から13のいずれか一項に記載のデバイス。
【請求項１５】
請求項1から7のいずれか一項に記載の方法をコンピュータに実行させるコンピュータプログラム。